(57)【要約】【課題】他者への視認性を高めるべく見かけの発光輝度が安定した靴下を提供する。【解決手段】靴下１のうち踵部２より上部であって足を締め付けるゴム伸縮部３の表面側の領域を、蓄光性または光反射性を有する発光糸により編成する。【選択図】図１
0003203113.tif 000002
【実用新案登録請求の範囲】
【請求項１】
踵部より上部であって足を締め付けるゴム伸縮部の表面側の領域を、蓄光性または光反射性を有する発光糸により編成してあり、
前記ゴム伸縮部のゴム糸が自然状態にあるとき、前記発光糸が互いに重なり合う状態となるよう前記発光糸の長さを設定してある靴下。
【請求項２】
前記発光糸の編成を２重に構成してある請求項１に記載の靴下。
【考案の詳細な説明】
【技術分野】
【０００１】
本考案は、夜道などにおいて歩行者が居ることの視認性を高める靴下に関する。
【背景技術】
【０００２】
従来、夜間に着用する衣類に関し、車の運転者等が歩行者の存在を認識し易くするために、発光体等を衣類の表面に取り付けるものがある。特に、靴下に関しては、例えば、特許文献１に示す技術がある。
【０００３】
この従来技術は、靴下の編成組織として用いる原糸に、畜光性を有する発光糸を混入させた複合糸を用いて発光部を設けたものである。この発光部は、くるぶし部から上の視認し易い部位に設けられる。これにより、例えば別体の発光体を靴下に張り付ける構成のものに比べて柔らかい肌触りを維持することができ、夜間においては運転者等に対して歩行者を視認させ易くするというものである。（特許文献１の〔０００５〕〔００１４〕段落および図１参照）
【先行技術文献】
【特許文献】
【０００４】
【特許文献１】特開平１１−８１０１２号公報
【考案の概要】
【考案が解決しようとする課題】
【０００５】
しかしながら、靴下を足に装着した際には生地には幾分の伸びが生じる。その結果、上記蓄光糸の見かけの重なり具合が変化し、特に、生地の伸びが大きくなるほど蓄光糸の重なり程度が粗になる。蓄光糸の重なりが粗になると単位面積当たりの発光量が低下し、夜間の視認性が悪化することとなる。
【０００６】
上記従来技術にあっては、靴下を装着した際の柔らかい肌触りは維持できるものの、見かけの発光輝度は必ずしも一定ではなかった。よって、他者に対する視認性を向上させるべく、見かけの発光輝度がより安定した靴下が求められている。
【課題を解決するための手段】
【０００７】
本考案の靴下は、踵部より上部であって足を締め付けるゴム伸縮部の表面側の領域を、蓄光性または光反射性を有する発光糸により編成してあり、前記ゴム伸縮部のゴム糸が自然状態にあるとき、前記発光糸が互いに重なり合う状態となるよう前記発光糸の長さを設定してある点に特徴を有する。
【０００８】
ユーザが靴下を装着したときには、ゴム伸縮部が伸長し、それに伴って発光糸が伸ばされた状態となる。ただし、この場合であっても、発光糸どうしの間隔が、ゴム糸が視認できるほど広がるわけではない。つまり、発光糸は、発光部の全領域に亘って依然として発光部の全領域を埋め尽くす状態で配設される。そのため、ゴム伸縮部が伸長した状態における発光輝度は、ゴム伸縮部が自然状態にある場合の発光輝度とほぼ同じになる。このように本構成であれば、靴下の装着時においても良好な発光輝度を発揮することができる。
【０００９】
本考案の靴下にあっては、前記発光糸の編成を２重に行うこととしてもよい。
【００１０】
本構成であれは、ゴム伸縮部が伸長状態になり、表面側にある編成の発光糸どうしの間隔が広がった場合でも、内面側の編成に係る発光糸が当該間隔を埋めることになる。よって、発光輝度が維持され、他者に対する視認性をさらに高めることができる。
【図面の簡単な説明】
【００１１】
【図１】本考案に係る靴下の外観を示す説明図である。
【図２】ゴム伸縮部の編成構造を示す説明図である。
【図３】ゴム伸縮部が自然状態にあるときの編成構造を示す説明図である。
【図４】ゴム伸縮部が伸長状態にあるときの編成構造を示す説明図である。
【考案を実施するための形態】
【００１２】
以下、本考案の靴下の実施の形態を図面に基づいて説明する。
【００１３】
図１に示す如く、本実施形態に係る靴下１は、踵部２より上部であって足を締め付けるゴム伸縮部３の表面側の領域に発光部４を形成してある。当該発光部４は、この領域を編成する糸に蓄光性または光反射性を具備させることで構成してある。以下、これらの糸を総称して発光糸４１と称する。
【００１４】
蓄光性または光反射性を有する糸とは、例えばアクリル系の糸や、ナイロン系或いはポリエステル系等の素材に蓄光材を混入したり、反射材を張り付けることで構成してある。このうち蓄光材は、例えば紫外光によって励起され発光するものであればよく、硫化亜鉛や硫化カドミウム等を用いることができる。また、反射材を用いた糸は、ナイロン系等の上記素材にガラス粉末等で形成した反射ビーズを接着して構成されている。
【００１５】
本実施形態では、このような発光部４は靴下１のうちゴム伸縮部３に設けてある。ゴム伸縮部３は、靴下１を足に装着した際に足を締め付ける部位であるが、これは通常、くるぶしよりも上方であって、しかも靴下１の最も上部にある。よって、靴を履いても当該発光部４は靴から離間した位置となり、高い視認性を発揮する。
【００１６】
また、ゴム伸縮部３に発光部４を設けることで、靴下１の単位面積当たりの発光輝度が低下し難くなる。例えば、図２には、ゴム伸縮部３を構成するゴム糸３１が伸縮した状態にあるときのゴム糸３１および発光糸４１の状態を示す。ゴム糸３１は、発光糸４１どうしが撚り合わされて形成される網目の複数個所毎に、発光糸４１どうしの間に挿通されている。図２において破線で囲んだ位置が、発光糸４１にゴム糸３１が挿通されている個所である。これにより、ゴム伸縮部３の内側には主にゴム糸３１で構成された層が設けられ、ゴム伸縮部３の外側には発光糸４１で構成された層が設けられる。因みに、図２乃至図４では、ゴム糸３１も発光糸４１も一本の糸のように描いてあるが、実際には、ゴム糸３１は、ゴムだけで形成された芯糸の周りにアクリル系の細い繊維等が撚り合わされた複合糸であり、発光糸４１も、発光性を担持させた細い繊維が撚り合わされたものである。
【００１７】
図３は、図２における矢視ＩＩＩの位置でゴム伸縮部３をみた状態を示す。図３のうち、破線で示した位置が、発光糸４１によってゴム糸３１が保持されている保持部５である。これら保持部５どうしの間の位置では、例えば２本の発光糸４１が互いに編み込まれ、ゴム糸３１の一方側に配置される。図３に示すように、ゴム伸縮部３のゴム糸３１が自然状態にあるとき、発光糸４１が互いに重なり合うか密集した状態となるよう長さを設定してある。よって、ゴム糸３１が自然状態で長さが短い場合には、発光糸４１どうしは密に重なり合った状態となる。この状態で外部から靴下１を見たとき、発光部４は靴下１の所定の面積を占め、発光部４の表面は発光糸４１で埋め尽くされた状態となる。よってこの状態では、発光部４の発光輝度は最大となる。
【００１８】
一方、図４に示す如く、ユーザが靴下１を装着したときには、ゴム伸縮部３が伸長し、それに伴って発光糸４１が伸ばされた状態となる。ただし、この場合であっても、発光糸４１どうしの間隔が、裏側のゴム糸３１が視認できるほど広がるわけではない。つまり、発光糸４１は、発光部４の全領域に亘って依然として発光部４の全領域を埋め尽くす状態で配設される。そのため、図４の状態における発光輝度は、ゴム伸縮部３が自然状態にある図３の状態での発光輝度とほぼ同じになる。
【００１９】
尚、靴下装着時における発光輝度の低下をより確実に防止するには、図示は省略するが、発光糸４１の編成を２重に行うこととしてもよい。
２重編成であれば、ゴム伸縮部３が伸長状態になり、表面側にある編成の発光糸４１どうしの間隔が広がった場合でも、内面側の編成に係る発光糸４１が当該間隔を埋めることになる。よって、発光輝度が維持され、他者に対する視認性の低下を防止することができる。
【符号の説明】
【００２０】
１    靴下
２    踵部
３    ゴム伸縮部
３１  ゴム糸
４１  発光糸
【図１】
0003203113.tif 000003
【図２】
0003203113.tif 000004
【図３】
0003203113.tif 000005
【図４】
0003203113.tif 000006